(57)【要約】【解決手段】底部１と、底部の一方の相対する辺部にヒンジ連結された一方の相対する側壁２と、底部のもう一方の相対する辺部にヒンジ連結されたもう一方の相対する側壁３とを有し、箱型に組み立てられた状態から、一方の相対する側壁を底部方向に倒し、次いで、もう一方の相対する側壁を底部方向に倒すことにより、折り畳むことが可能な折り畳みコンテナーにおいて、底部嵌合部１ｅの角部領域に、底部の角部方向に延在する張出部１ｇを形成したものである。【効果】底部嵌合部の角部領域に、底部の角部方向に延在する張出部を形成したので、従来の細長い角部リブとして形成されたものに比べ、折り畳みコンテナーが安定した状態で、床等に載置されるとともに、強度的に弱い底部角部リブが損傷するというようなことが防止できる。【選択図】図４
2004142777.tif 000002
【特許請求の範囲】
【請求項１】
底部と、底部の一方の相対する辺部にヒンジ連結された一方の相対する側壁と、底部のもう一方の相対する辺部にヒンジ連結されたもう一方の相対する側壁とを有し、箱型に組み立てられた状態から、一方の相対する側壁を底部方向に倒し、次いで、もう一方の相対する側壁を底部方向に倒すことにより、折り畳むことが可能な折り畳みコンテナーにおいて、底部嵌合部の角部領域に、底部の角部方向に延在する張出部が形成されていることを特徴とする折り畳みコンテナー。
【請求項２】
箱型に組み立てられた折り畳みコンテナーの一方の相対する側壁と、もう一方の相対する側壁とにより形成される内部隅部には、平面形状が、略Ｌ字状の張出部嵌合凹部が形成されていることを特徴とする請求項１に記載の折り畳みコンテナー。
【発明の詳細な説明】
【０００１】
【発明の属する技術分野】
本発明は、底部を囲むように配設された側壁が、底部に重なるように折り畳むことができる折り畳みコンテナーに関するものである。
【０００２】
【従来の技術】
従来，一例として、長方形の底部の相対する長辺部に、ヒンジ部を介して連結された長側壁と、同じく上記底部の相対する短辺部に、ヒンジ部を介して連結された短側壁とからなる折り畳みコンテナーが知られており、箱型に組み立てられた折り畳みコンテナーを折り畳む場合には、底部の上に長側壁を重なるように折り畳み、更にその上に、短側壁を折り畳み、そして、折り畳まれた状態の短側壁を、底部に対して略垂直に立て、次いで、折り畳まれた状態の長側壁を、底部に対して略垂直に立てることにより、箱型のコンテナーに組み立てるように構成されている。
【０００３】
また、折り畳みコンテナーの底部には、箱型に組み立てられた折り畳みコンテナー同士を、積み重ねた際に、下に位置する折り畳みコンテナーの開口部に嵌合する底部嵌合部が形成されており、上に位置する折り畳みコンテナーの底部に形成されている底部嵌合部を、下に位置する折り畳みコンテナーの開口部に嵌合することにより、下に位置する折り畳みコンテナーに対して、上に位置する折り畳みコンテナーが水平方向に移動しないように構成されている。
【０００４】
上述した折り畳みコンテナーの底部には、底部嵌合部が形成されているために、折り畳みコンテナーを、床面や地面等に載置した際には、底部嵌合部のみが床面や地面等に接触し、底部嵌合部が形成されていない底部は、床面や地面等に接触しないことになる。従って、例えば、折り畳みコンテナーの角部に、上方から負荷がかかった場合に、床面や地面等に接触していない底部の角部等が、下方に屈曲し、座屈を起すという問題があった。このような問題を解決するために、本出願人は、先の出願（特願平１１−３１７８３９号（特開２００１−１３０５５０号公報））において、底部嵌合部の角部から、底部の角部に向かう底部角部リブを形成した折り畳みコンテナーを提案した。
【０００５】
【発明が解決しようとする課題】
先の出願において開示されている折り畳みコンテナーの底部嵌合部の角部から、底部の角部に向かう底部角部リブは、細長いリブとして形成されているために、例えば、折り畳みコンテナーの角部に、上方から負荷がかかった場合に、このような負荷を担持する部分がリブであると、折り畳みコンテナーがふらついて不安定になったり、或いは、強度的に弱い底部角部リブが損傷するという問題があった。
【０００６】
本発明の目的は、上述した従来の折り畳みコンテナーが有する課題を解決することにある。
【０００７】
【課題を解決するための手段】
本発明は、上述した目的を達成するために、底部と、底部の一方の相対する辺部にヒンジ連結された一方の相対する側壁と、底部のもう一方の相対する辺部にヒンジ連結されたもう一方の相対する側壁とを有し、箱型に組み立てられた状態から、一方の相対する側壁を底部方向に倒し、次いで、もう一方の相対する側壁を底部方向に倒すことにより、折り畳むことが可能な折り畳みコンテナーにおいて、第１には、底部嵌合部の角部領域に、底部の角部方向に延在する張出部を形成したものであり、第２には、箱型に組み立てられた折り畳みコンテナーの一方の相対する側壁と、もう一方の相対する側壁とにより形成される内部隅部には、平面形状が、略Ｌ字状の張出部嵌合凹部を形成したものである。
【０００８】
【実施例】
以下に、本発明の実施例について説明するが、本発明の趣旨を越えない限り何ら、本実施例に限定されるものでない。
【０００９】
１は、平面形状が長方形状の底部であり、底部１の相対する長辺側土手部１ａには、適当なヒンジ部材を介して長側壁２がヒンジ連結されており、また、底部１の相対する短辺側土手部１ｂには、同じくヒンジ部材を介して短側壁３がヒンジ連結されている。本実施例においては、短辺側土手部１ｂが、長辺側土手部１ａより高く構成されており、底部１と短側壁３とのヒンジ連結部は、底部１と長側壁２とのヒンジ連結部より高い位置にある。なお、１ｃは、長辺側土手部１ａの中央部に形成された略方形状の補強ブロックであり、長側壁２には、補強ブロック１ｃが嵌合可能な凹部２ａが形成されている。
【００１０】
図１に示されているように、箱型に組み立てられた状態の折り畳みコンテナーを折り畳むには、先ず最初に、長側壁２を折り畳みコンテナーの内側に倒して、図２に示されているように、底部１の上に重ねる。次いで、同じく、短側壁３を折り畳みコンテナーの内側に倒して、図３に示されているように、底部１及び長側壁２の上に重ねる。逆に、図３に示されている折り畳まれた状態から、図１に示されているように組み立てるには、底部１及び長側壁２の上に重ねられた状態の短側壁３を略垂直に立て、次いで、長側壁２を略垂直に立てて、折り畳みコンテナーを箱型に組み立てる。
【００１１】
次に、図４〜図５を用いて、底部１について説明する。
【００１２】
底部１の長辺側土手部１ａ及び短辺側土手部１ｂは、長手方向に対して垂直な断面形状が、略逆Ｕ字状に形成されている。例えば、短辺側土手部１ｂは、外壁部１ｂ１と、内壁部１ｂ２と、外壁部１ｂ１の上端と内壁部１ｂ２の上端を連結する水平部１ｂ３とにより形成されており、相対する短辺側土手部１ｂの内壁部１ｂ２の下端同士を連結する板により、平板状の底板１ｄが形成されている。底板１ｄの裏面には、長辺側土手部１ａに略平行な複数のリブ１ｅ１及び短辺側土手部１ｂに略平行で、上記リブ１ｅ１と交差する複数のリブ１ｅ２を垂下するとともに、周囲を周辺枠１ｅ３で囲むことにより、リブ１ｅ１、１ｅ２の下端及び周辺枠１ｅ３の下端により形成された下面が、短辺側土手部１ｂ及び長辺側土手部１ａの下端より、下方に位置する底部嵌合部１ｅが形成されている。
【００１３】
なお、４は、短辺側土手部１ｂの外壁部１ｂ１の下端部に形成された切り欠き部である。折り畳まれた状態の折り畳みコンテナーを段積みした際には、底部１の長辺側土手部１ａ側、即ち、長側壁２側には、長側壁２とその上に重ねられた短側壁３との間に間隙が形成されているので、この間隙に手を入れ、折り畳みコンテナーの長辺側土手部１ａを持ち上げることにより、所望の折り畳みコンテナーを持ち上げることができるが、従来の折り畳みコンテナーにおいては、底部１の短辺側土手部１ｂ側、即ち、短側壁３側には、このような間隙が存在していないために、折り畳みコンテナーの短辺側土手部１ｂを手で持って持ち上げることは困難であった。しかしながら、本願発明のように、底部１の短辺側土手部１ｂの外壁部１ｂ１の下端部に切り欠き部４が形成されているので、この切り欠き部４に手を入れて、所望の折り畳みコンテナーを持ち上げることができるので、底部１の長辺側土手部１ａ側からも、また、底部１の短辺側土手部１ｂ側からも、所望の段積みされた折り畳みコンテナーを、持ち上げることができる。
【００１４】
本実施例においては、底部嵌合部１ｅは、長辺側土手部１ａに沿った中央部において、短辺側土手部１ｂに平行な嵌合溝５により、２つの同じ形状の副嵌合部１ｅ’に２分されている。上述した、長辺側土手部１ａの中央部に形成された補強ブロック１ｃは、嵌合溝５が形成されている部分に、嵌合溝５幅を越えて形成されており、このように、嵌合溝５幅を越えて、長辺側土手部１ａの中央部に補強ブロック１ｃを形成することにより、底部嵌合部１ｅに嵌合溝５を形成したために、強度的に弱くなる底部１を補強することができる。
【００１５】
本実施例においては、底部嵌合部１ｅが、嵌合溝５を挟んで配置された、２つの副嵌合部１ｅ’により構成されているので、周辺枠１ｅ３も、各副嵌合部１ｅ’を構成する交差するリブ１ｅ１、１ｅ２を、それぞれ囲むように構成されている。底部嵌合部１ｅの４つの角部領域、換言すれば、副嵌合部１ｅ’の底部１の角部１ｆ側の角部領域は、底部１の角部１ｆ方向に延在する張出部１ｇが形成されている。
【００１６】
張出部１ｇの角部１ｇ１は、長辺側土手部１ａの内壁部１ａ２を下方に延長することにより形成された長辺側壁部１ｇ２と、短辺側土手部１ｂの内壁部１ｂ２を下方に延長することにより形成された短辺側壁部１ｇ３とにより形成されている。また、長辺側壁部１ｇ２は、底部嵌合部１ｅ（副嵌合部１ｅ’）を形成する周辺枠１ｅ３の長辺側土手部１ａ側に位置する直線部分１ｅ３’方向に延在する傾斜部１ｇ４を介して、周辺枠１ｅ３の長辺側土手部１ａ側に位置する直線部分１ｅ３’に連結されており、同様に、短辺側壁部１ｇ３は、底部嵌合部１ｅ（副嵌合部１ｅ’）を形成する周辺枠１ｅ３の短辺側土手部１ｂ側に位置する直線部分１ｅ３”方向に延在する傾斜部１ｇ５を介して、周辺枠１ｅ３の短辺側土手部１ｂ側に位置する直線部分１ｅ３”に連結されている。
【００１７】
上述したように、底部嵌合部１ｅの４つの角部領域、換言すれば、副嵌合部１ｅ’の底部１の角部１ｆ側の角部領域には、底部１の角部１ｆ方向に延在する張出部１ｇが形成されているので、底部嵌合部１ｅを形成する周辺枠１ｅ３の長辺側土手部１ａ側には、傾斜部１ｇ４と直線部分１ｅ３’と平板状の底板１ｄの裏面により形成される、下方と長辺側土手部１ａ側が開放された長辺側嵌合凹部６が形成されている。同様に、周辺枠１ｅ３の短辺側土手部１ｂ側にも、傾斜部１ｇ５と直線部分１ｅ３”と平板状の底板１ｄの裏面により形成される、下方と短辺側土手部１ｂ側が開放された短辺側嵌合凹部７が形成されている。
【００１８】
長側壁２の外壁面（折り畳みコンテナーを箱型に組みたてた際に、外側に位置する面）の上部角部領域には、縦方向に延在する係合凹部２ｂが形成されており、係合凹部２ｂには、複数個の嵌合突起２ｂ１が形成されている。また、長側壁２の内壁面（折り畳みコンテナーを箱型に組みたてた際に、内側に位置する面）２’の両端部付近の上部角部領域には、横長の嵌合凹部２ｃが形成されており、嵌合凹部２ｃは、底面２ｃ１と、長側壁２の中央部側に形成された傾斜面２ｃ２と、奥壁２ｃ３とにより形成されており、嵌合凹部２ｃの上部、内側及び左右端は開放されている。
【００１９】
短側壁３の垂直端の上部からは、長側壁２方向に延在する係合枠３ａが形成されており、係合枠３ａには、上述した長側壁２の係合凹部２ｂに突設された嵌合突起２ｂ１が嵌合可能な透孔３ａ１が穿設されている。また、短側壁３の垂直端の上部に形成された係合枠３ａは、折り畳みコンテナーを箱型に組みたてた際に、長側壁２の外壁面の上部角部領域に形成された係合凹部２ｂに入り込むとともに、長側壁２の係合凹部２ｂに突設された嵌合突起２ｂ１が、短側壁３の係合枠３ａに穿設された透孔３ａ１に嵌入し、箱型に組み立てられた折り畳みコンテナーの長側壁２が、簡単には、底部１方向に倒れないように構成されている。
【００２０】
また、短側壁３の係合枠３ａ側の内壁面（折り畳みコンテナーを箱型に組みたてた際に、内側に位置する面）３’の両端部付近の上部角部領域には、横長の嵌合凹部３ｂが形成されており、嵌合凹部３ｂは、底面３ｂ１と、短側壁３の中央部側に形成された傾斜面３ｂ２と、係合枠３ａの内壁面３ａ２とにより形成されており、上部と内側が開放されている。
【００２１】
折り畳みコンテナーを箱型に組みたてた際には、長側壁２の内壁面２’の上部角部領域に形成された横長の嵌合凹部２ｃと、短側壁３の係合枠３ａ側の内壁面３’の上部角部領域に形成された横長の嵌合凹部３ｂとにより、箱型に組み立てられた折り畳みコンテナーの内部隅部には、平面形状が、略Ｌ字状の張出部嵌合凹部８が形成されている。
【００２２】
上述したように、長側壁２の内壁面２’の両端部付近の上部角部領域には横長の嵌合凹部２ｃが形成されているので、嵌合凹部２ｃ間に位置する長側壁２の内壁面２’には、横長の嵌合凸条部９が形成されている。この嵌合凸条部９は、長側壁２の上端水平フランジ２ｄと、嵌合凹部２ｃを形成する傾斜面２ｃ２と、該傾斜面２ｃ２間に位置する長側壁２の内壁面２’と面一な面とにより形成されている。同様に、短側壁３の内壁面３’の両端部付近の上部角部領域には、横長の嵌合凹部３ｂが形成されているので、嵌合凹部３ｂ間に位置する短側壁３の内壁面３’には、横長の嵌合凸条部１０が形成されている。この嵌合凸条部１０は、短側壁３の上端水平フランジ３ｄと、嵌合凹部３ｂを形成する傾斜面３ｂ２と、該傾斜面３ｂ２間に位置する短側壁３の内壁面３’と面一な面とにより形成されている。
【００２３】
箱型に組み立てられた折り畳みコンテナーを、上下方向に段積みした際には、上に位置する折り畳みコンテナーの底部１の底部嵌合部１ｅの張出部１ｇが、下に位置する折り畳みコンテナーの長側壁２の内壁面２’の上部角部領域に形成された横長の嵌合凹部２ｃと短側壁３の係合枠３ａ側の内壁面３’の上部角部領域に形成された横長の嵌合凹部３ｂとにより形成された張出部嵌合凹部８に嵌合されるように構成されている。従って、箱型に組み立てられた折り畳みコンテナーが、段積み状態において、水平方向に移動するようなことがなく、安定した状態で、多数の箱型に組み立てられた折り畳みコンテナーを、段積みすることができる。
【００２４】
また、上述したように、底部１の底部嵌合部１ｅを形成する張出部１ｇが、張出部１ｇを形成する長辺側土手部１ａ側に位置する傾斜部１ｇ４と、該傾斜部１ｇ４に略平行な、同じく張出部１ｇを形成する短辺側土手部１ｂ側に位置する傾斜部１ｇ５と、長辺側土手部１ａの内壁部１ａ２を下方に延長することにより形成された長辺側壁部１ｇ２と、短辺側土手部１ｂの内壁部１ｂ２を下方に延長することにより形成された短辺側壁部１ｇ３とにより囲まれた領域により形成されているので、上述した細長い角部リブとして形成されたものに比べ、折り畳みコンテナーが安定した状態で、床等に載置されるとともに、強度的に弱い底部角部リブが損傷するというようなことが防止できる。
【００２５】
また、箱型に組み立てられた折り畳みコンテナーを、上下方向に段積みした際には、上に位置する折り畳みコンテナーの底部１の長辺側嵌合凹部６に、下に位置する折り畳みコンテナーの長側壁２の内壁面２’に形成された嵌合凸条部９が嵌合されるとともに、上に位置する折り畳みコンテナーの底部１の短辺側嵌合凹部７に、下に位置する折り畳みコンテナーの短側壁３の内壁面３’に形成された嵌合凸条部１０が嵌合されるように構成されている。従って、折り畳みコンテナーを、より安定した状態で、多数の箱型に組み立てられた折り畳みコンテナーを段積みすることができる。
【００２６】
なお、折り畳みコンテナーが折り畳まれた状態で段積みされた際には、下に位置する折り畳みコンテナーの底部１の角部１ｆに形成された、平面形状が略Ｌ状の角部ブロック１ｈの内側段部１ｈ１に、上に位置する折り畳みコンテナーの底部１に形成された張出部１ｇが嵌合されるように構成されている。従って、折り畳まれた状態の折り畳みコンテナーの水平方向の移動も制限され、折り畳まれた状態の折り畳みコンテナーを、安定した状態で段積みすることができる。
【００２７】
なお、上述した実施例においては、箱型に組み立てられた折り畳みコンテナーを折り畳む場合には、底部１の上に長側壁２を重なるように折り畳み、更にその上に、短側壁３を折り畳み、そして、折り畳まれた状態の短側壁３を、底部１に対して略垂直に立て、次いで、折り畳まれた状態の長側壁２を、底部１に対して略垂直に立てることにより、箱型のコンテナーに組み立てるように構成されているが、箱型に組み立てられた折り畳みコンテナーを折り畳む場合に、底部１の上に短側壁３を重なるように折り畳み、更にその上に、長側壁２を折り畳み、そして、折り畳まれた状態の長側壁２を、底部１に対して略垂直に立て、次いで、折り畳まれた状態の短側壁３を、底部１に対して略垂直に立てることにより、箱型のコンテナーに組み立てるように構成することもできる。
【００２８】
【発明の効果】
本発明は、以上説明した構成を有しているので、以下に記載する効果を奏するものである。
【００２９】
底部嵌合部の角部領域に、底部の角部方向に延在する張出部を形成したので、従来の細長い角部リブとして形成されたものに比べ、折り畳みコンテナーが安定した状態で、床等に載置されるとともに、強度的に弱い底部角部リブが損傷するというようなことが防止できる。
【００３０】
箱型に組み立てられた折り畳みコンテナーの一方の相対する側壁と、もう一方の相対する側壁とにより形成される内部隅部には、平面形状が、略Ｌ字状の張出部嵌合凹部を形成し、箱型に組み立てられた折り畳みコンテナーを段積みした際には、上記張出部嵌合凹部に、上に位置する折り畳みコンテナーの底部嵌合部の張出部を嵌合するように構成したので、折り畳まれた状態の折り畳みコンテナーの水平方向の移動が制限され、従って、多数の箱型に組み立てられた折り畳みコンテナーを、安定した状態で段積みすることができる。
【図面の簡単な説明】
【図１】図１は本発明の折り畳みコンテナーの箱型に組み立てられた状態の斜視図である。
【図２】図２は本発明の折り畳みコンテナーの組み立て途中或いは折り畳み途中の斜視図である。
【図３】図３は本発明の折り畳みコンテナーの折り畳まれた状態の斜視図である。
【図４】図４は本発明の折り畳みコンテナーの底部の裏面斜視図である。
【図５】図５は本発明の折り畳みコンテナーの長側壁に沿った垂直断面図である。
【図６】図６は本発明の折り畳みコンテナーの底部の部分拡大裏面斜視図である。
【図７】図７は本発明の折り畳みコンテナーの箱型に組み立てられた状態の部分拡大斜視図である。
【図８】図８は本発明の折り畳みコンテナーの箱型に組み立てられた状態の部分拡大平面である。
【符号の説明】
１・・・・・・・・底部
１ｅ・・・・・・・底部嵌合部
１ｇ・・・・・・・張出部
２・・・・・・・・長側壁
２ｃ・・・・・・・嵌合凹部
３・・・・・・・・短側壁
３ｂ・・・・・・・嵌合凹部
４・・・・・・・・切り欠き部
５・・・・・・・・嵌合溝
６・・・・・・・・長辺側嵌合凹部
７・・・・・・・・短辺側嵌合凹部
８・・・・・・・・張出部嵌合凹部
【図１】
2004142777.tif 000003
【図２】
2004142777.tif 000004
【図３】
2004142777.tif 000005
【図４】
2004142777.tif 000006
【図５】
2004142777.tif 000007
【図６】
2004142777.tif 000008
【図７】
2004142777.tif 000009
【図８】
2004142777.tif 000010